(57)【要約】自立形仕切りパネルは、パネル内にオープンスペースを形成する垂直側部フレーム部材ならびに第１および第２の水平フレーム部材を有する剛性のある仕切りフレームを含む。取り外し可能な中間水平横部材が、垂直方向に拡大した開口を横切って延び、上部および下部開口を画定する。中間横部材ならびに第１および第２の水平フレーム部材は、複数の水平方向に離間した取り付け部を含む。ユーティリティユニットを、搭載空間の種々の異なる選択部分に搭載可能である。カバーパネルが、中間水平横部材およびフレームの他の部分に接続されて、ユーティリティユニットの周りの露出領域を覆う。【特許請求の範囲】
【請求項１】
床スペースを分割する自立形仕切りパネルにおいて、
水平方向に離間した垂直側部フレーム部材と、前記垂直側部フレーム部材間に延びて前記フレーム内にほぼ四辺形に垂直方向に拡大した開口を形成し、前記パネル内にオープンスペースを画定する垂直方向に離間した第１および第２の水平部材とを有する、剛性のある仕切りフレームと、
少なくとも１つの中間水平横部材であって、前記垂直方向に拡大した開口を横切って延び、前記中間水平横部材の上方で前記フレーム内に上部開口を画定し、かつ前記中間水平横部材の下方で前記フレーム内に下部開口を画定する、中間水平横部材と、
前記オープンスペース内の前記フレーム内の前記上部開口および下部開口のうちの選択された一方に複数の個別の直列に隣接した搭載空間を画定する、複数の水平方向に離間した取り付け部を含む、前記中間水平横部材と前記第１および第２の水平フレーム部材のうちの少なくとも選択された一方と、
前記中間水平横部材と前記第１および第２の水平部材のうちの選択された一方との前記取り付け部のうちの選択されたものに接続可能であり、前記ユーティリティユニットを前記搭載空間のうちの前記選択された１つに搭載することができる、モジュール式機器ユニットであって、前記垂直側部フレーム部材のうちの選択された１つから離間した側縁を有する、モジュール式機器ユニットと、
前記仕切りフレームに固定されて、前記機器ユニットの前記側縁と前記選択された垂直側部フレーム部材との間に水平方向に延びる第１のカバーパネルであって、前記中間水平横部材に接続され、前記中間水平横部材と前記第１および第２の部材のうちの選択された一方との間に垂直方向に延びる、第１のカバーパネルと、
前記仕切りフレームに固定され、前記垂直側部フレーム部材間に水平方向に延びる第２のカバーパネルであって、前記中間水平横部材と前記第１および第２の部材のうちの選択された一方ではない方との間に垂直方向に延びる、第２のカバーパネルと
を備える、自立形仕切りパネル。
【請求項２】
前記第１の水平部材は前記仕切りパネルの上縁に近接して延びる、請求項１に記載の自立形仕切りパネル。
【請求項３】
前記第２の水平部材は前記仕切りパネルの下縁に近接して延びる、請求項２に記載の自立形仕切りパネル。
【請求項４】
前記中間水平横部材は第１の中間水平横部材を備え、
前記仕切りパネルは、前記垂直側部フレーム部材間に延びて前記垂直側部フレーム部材を固く相互接続する上部水平フレーム部材を含み、
前記第１の水平フレーム部材は、複数の水平方向に離間した取り付け部を含み、前記上部水平フレーム部材の下方に配置されて、第２の中間水平横部材を画定して、前記搭載空間が前記第１および第２の中間水平横部材間に画定されるようにする、請求項１に記載の自立形仕切りパネル。
【請求項５】
前記機器ユニットの前記側縁に近接して、前記中間水平横部材と、前記第１および第２の水平フレーム部材のうちの前記選択された一方とに接続されるカバーパネル搭載ブラケットを含み、前記第１のカバーパネルは、前記機器ユニットの垂直側縁を有し、前記カバーパネル搭載ブラケットに固定された前記垂直側縁に近接したコネクタを含む、請求項１に記載の自立形仕切りパネル。
【請求項６】
前記機器ユニットは電源コンセント差込口を有する電源ユニットを備える、請求項１に記載の自立形仕切りパネル。
【請求項７】
前記機器ユニットは、内部空間を画定する垂直方向に延びる側壁ならびに水平方向に延びる上壁および下壁を有する収納ユニットを備え、
前記収納ユニットは、前記垂直側壁間に延びる水平棚をさらに含む、請求項１に記載の自立形仕切りパネル。
【請求項８】
前記第１および第２のカバーパネルは、垂直平面を画定する外面を有し、
前記水平棚は、前記内部空間内に位置する内側部分と、前記垂直平面の外側に水平方向に延びる外側部分とを有する、請求項７に記載の自立形仕切りパネル。
【請求項９】
前記取り付け部はねじ付き開口を含み、
前記機器ユニットは、４つの角を画定するほぼ四辺形の外周を有し、
各角に近接して、前記ねじ付き開口に受け入れられて前記仕切りフレームに前記機器ユニットを固定する少なくとも１つのねじ式締結具を含む、請求項１に記載の仕切りパネル。
【請求項１０】
床スペースを分割する自立形仕切りパネルにおいて、
第１および第２の水平方向に離間した垂直側部フレーム部材と、前記垂直側部フレーム部材間に延びて前記パネル内にオープンスペースを画定する、細長い垂直方向に離間した第１および第２の水平部材とを有する剛性のある仕切りフレームと、
前記オープンスペース内に複数の個別の直列に隣接した搭載空間を画定する、複数の水平方向に離間した取り付け部を含む、前記第１および第２の水平部材と、
前記第１および第２の水平部材の取り付け部のうちの選択されたものに接続可能であり、前記第１および第２の水平部材間に垂直方向に延びる、モジュール式機器ユニットであって、前記第１の垂直側部フレーム部材から水平方向に離間してその間にギャップを画定するほぼ垂直な側縁を画定する、モジュール式機器ユニットと、
前記仕切りフレームに固定されるカバーパネルであって、前記機器ユニットの前記垂直側縁に近接した第１の垂直側縁と、前記第１の垂直側部フレーム部材に近接した第２の垂直側縁とを有し、前記第１および第２の水平部材に固定され、それらの間に延びて前記ギャップをほぼ塞ぐ、カバーパネルと
を備える、自立形仕切りパネル。
【請求項１１】
前記第１および第２の水平部材に固定され、前記機器ユニットの前記垂直側縁に近接して前記第１および第２の水平部材間に延びるカバーパネルブラケットを含み、
前記カバーパネルは、前記カバーパネルの前記第１の垂直側縁に近接して、前記カバーパネルを前記カバーパネルブラケットに固定する少なくとも１つのコネクタを含む、請求項１０に記載の自立形仕切りパネル。
【請求項１２】
前記取り付け部はねじ付き開口を含み、
前記仕切りパネルは、前記機器ユニットおよび前記カバーパネルブラケットを前記ねじ付き開口に固定する複数のねじ式締結具を含む、請求項１１に記載の自立形仕切りパネル。
【請求項１３】
前記カバーパネルは少なくとも１つの開口を含み、
前記少なくとも１つのコネクタは、前記開口に受け入れられて前記カバーパネルを前記カバーパネルブラケットに固定するクリップを備える、請求項１１に記載の自立形仕切りパネル。
【請求項１４】
前記カバーパネルは第１のカバーパネルを備え、
前記ギャップは第１のギャップを含み、
前記機器ユニットの前記垂直側縁は第１の垂直側縁を含み、
前記機器ユニットは、前記第２の垂直側部フレーム部材から水平方向に離間して、前記第２の垂直側部フレーム部材との間に第２のギャップを画定する第２の垂直側縁を有し、
第２のカバーパネルが、前記仕切りフレームに固定されて前記第２のギャップをほぼ塞ぐ、請求項１０に記載の自立形仕切りパネル。
【請求項１５】
前記垂直側部フレーム部材間に延びて前記垂直側部フレーム部材を固く相互接続する上部水平フレーム部材であって、前記第１および第２の水平部材のうちの選択された一方の上方に垂直方向に離間して上部ギャップを画定する、上部水平フレーム部材と、
前記垂直側部フレーム部材間に延びて前記垂直側部フレーム部材を固く相互接続する下部水平フレーム部材であって、前記第１および第２の水平部材のうちの他方の下方に垂直方向に離間して下部ギャップを画定する、下部水平フレーム部材と、
前記仕切りフレームに固定されて前記上部ギャップを塞ぐ上部カバーパネルと、
前記仕切りフレームに固定されて前記下部ギャップを塞ぐ下部カバーパネルと
を含む、請求項１０に記載の自立形仕切りパネル。
【請求項１６】
前記垂直側部フレーム部材、前記第１および第２の水平部材、ならびに前記上部および下部水平フレーム部材は、複数の開口を有し、
前記上部および下部カバーパネルはそれぞれ、前記開口に受け入れられて前記上部および下部カバーパネルを前記仕切りフレームに固定する凸状コネクタを含む、請求項１５に記載の自立形仕切りパネル。
【請求項１７】
前記機器ユニットは電源コンセント差込口を有する電源ユニットを備える、請求項１０に記載の自立形仕切りパネル。
【請求項１８】
前記機器ユニットは、内部空間を画定する垂直方向に延びる側壁ならびに水平方向に延びる上壁および下壁を有する収納ユニットを備え、
前記収納ユニットは、前記垂直側壁間に延びる水平棚をさらに含む、請求項１０に記載の自立形仕切りパネル。
【請求項１９】
前記第１および第２のカバーパネルは、垂直平面を画定する外面を有し、
前記水平棚は、前記内部空間内に位置する内側部分と、前記垂直平面の外側に水平方向に延びる外側部分とを有する、請求項１８に記載の自立形仕切りパネル。
【請求項２０】
仕切りパネルを構成する方法において、
水平方向に離間した垂直側面および前記垂直側面間の内部空間を画定する自立形仕切りフレームを設けることであって、前記仕切りフレームは、水平方向に離間してフレーム幅を画定する第１および第２のほぼ垂直な側縁と、前記垂直側縁とともにほぼ四辺形の外周を画定するほぼ水平の上縁および下縁とを有する、自立形仕切りフレームを設けることと、
前記内部空間の少なくとも一部を、水平の列を画定する複数の直列に隣接した搭載空間に分割することであって、前記搭載空間はそれぞれ、ほぼ同じサイズおよび構成を有する、分割することと、
複数のモジュール式機器ユニットを設けることであって、前記機器ユニットは、選択された水平方向の位置で前記搭載空間のうちの選択された１つに搭載されるようにそれぞれが構成されており、外側を向いた外側面と、高さを画定するほぼ垂直側縁ならびにほぼ水平な上部側縁および下部側縁とを有する、複数のモジュール式機器ユニットを設けることと、
前記機器ユニットの前記垂直側縁が前記仕切りフレームの前記第１の垂直側縁から内側に離間して前記フレームの幅よりも実質的に短い幅を画定する第１のギャップを形成する状態で、前記機器ユニットを、選択された水平方向の位置で前記仕切りフレームの前記搭載空間のうちの選択された１つに固定することであって、前記機器ユニットの前記上部側縁は、前記仕切りフレームの前記上縁から下方に離間して、前記フレーム幅とほぼ同じ幅を有する上部ギャップを形成し、前記機器ユニットの前記下部側縁は、前記仕切りフレームの前記下縁から上方に離間して、前記フレーム幅とほぼ同じ幅を有する下部ギャップを形成する、固定することと、
前記第１のギャップとほぼ等しい幅および前記ユーティリティユニットの高さとほぼ同じ高さを有する第１のカバーパネルを設けることと、
前記第１のカバーパネルを装着して、前記第１のギャップをほぼ塞ぐことと、
前記上部カバーパネルを装着して、前記上部ギャップをほぼ塞ぐことと、
前記下部カバーパネルを装着して、前記下部ギャップをほぼ塞ぐことと
を含む、仕切りパネルを構成する方法。
【請求項２１】
前記機器ユニットのうちの少なくとも１つは、電源コンセントを含み、少なくとも１つの機器ユニットが棚を含む、請求項２０に記載の仕切りパネルを構成する方法。
【請求項２２】
前記機器ユニットの前記垂直側縁は第１の垂直側縁を含み、前記機器ユニットは第２のほぼ垂直な側縁を有し、
前記第２の垂直側縁は、前記仕切りフレームの前記第２の垂直側縁から離間して第２のギャップを画定し、
前記方法は、前記ユーティリティユニットの高さとほぼ等しい幅を有する第２のカバーパネルを設けることを含む、請求項２０に記載の仕切りパネルを構成する方法。
【請求項２３】
壁または仕切りの表面等の支持構造にフラットディスプレイスクリーンを搭載する装置において、
枢転可能に相互接続された第１および第２のリンクをそれぞれが有する、第１および第２の支持アームを備え、
前記第１のリンクはそれぞれ、前記支持構造に枢転可能に取り付けられてほぼ垂直の軸を中心に枢転するようになっている端部を有し、
前記第２のリンクはそれぞれ、前記ディスプレイスクリーンに枢転可能に接続されるようになっている端部を有し、
前記第１および第２の支持アームは、収納位置と使用位置との間を水平方向に移動するように前記ディスプレイスクリーンを支持するように構成される、壁または仕切りの表面等の支持構造にフラットディスプレイスクリーンを搭載する装置。
【請求項２４】
前記フラットディスプレイスクリーンを含み、前記フラットディスプレイスクリーンは、前記第１および第２の支持アームに枢転可能に接続されて、傾斜調整を行うように水平軸を中心に枢転する、請求項２３に記載の壁または仕切りの表面等の支持構造にフラットディスプレイスクリーンを搭載する装置。
【請求項２５】
建物内部の床スペースを細分する自立形仕切りパネルにおいて、
床面上に支持されるように構成される仕切りフレームを画定する複数の相互接続される構造部材であって、前記仕切りパネルは、前記パネルの両面に位置する第１および第２の主外面を有する、複数の相互接続される構造部材と、
前記フレームに取り付けられる第１の支持部材であって、垂直方向に離間した複数の支持部材位置で前記フレームに取り付け可能であり、前記複数の支持部材位置に取り付けられると、実質的に前記第１および第２の主外面間に位置する、第１の支持部材と、
前記第１の主外面の第１の部分を画定し、カバーパネル高さを画定するほぼ四辺形の外周を有する、少なくとも１つのカバーパネルと、
前記仕切りパネルに搭載されて、前記第１の支持部材に固定される機器ユニットであって、前記第１の主外面の第２の部分を画定し、前記第２の部分は機器ユニット高さを画定する外周を有し、前記外周は、前記最外周の部分垂直長さにわたって互いに隣接して位置し、前記カバーパネル高さおよび前記機器ユニット高さはほぼ等しく、前記機器ユニットは、前記第１の支持部材上の水平方向に離間した複数の機器位置で前記第１の支持部材に固定可能であり、前記機器ユニットは、前記仕切りパネルの水平方向および垂直方向に離間した複数の装着位置に搭載可能であり、前記機器ユニットは、前記第１の支持部材を垂直方向に再配置することにより垂直方向に再配置可能であり、前記機器ユニットは、前記第１の支持部材に前記機器を再配置することにより水平方向に再配置可能である、機器ユニットと
を備える、建物内部の床スペースを細分する自立形仕切りパネル。
【請求項２６】
前記機器ユニットは、前記フレームおよび前記第１の支持部材の両方に直接固定される、請求項２５に記載の建物内部の床スペースを細分する自立形仕切りパネル。
【請求項２７】
再配置可能な第２の支持部材をさらに備え、前記機器ユニットは、前記第１および第２の支持部材のそれぞれに固定される、請求項２５に記載の建物内部の床スペースを細分する自立形仕切りパネル。
【請求項２８】
前記第１の支持部材は、前記支持部材位置に近接して前記フレームに取り付け可能な両端を有する細長い部材であり、前記複数の機器位置は、前記第１および第２の端部間に離間している、請求項２５に記載の建物内部の床スペースを細分する自立形仕切りパネル。
【請求項２９】
前記フレームは直線形状を画定し、前記第１の支持部材は、前記直線形状の少なくとも１つの縁と平行に配置される、請求項２８に記載の建物内部の床スペースを細分する自立形仕切りパネル。
【請求項３０】
前記機器ユニットは、前記第１の支持部材および前記フレームの両方に直接固定され、前記第１の支持部材と前記フレームとの間に配置される、請求項２９に記載の建物内部の床スペースを細分する自立形仕切りパネル。
【請求項３１】
前記第１の支持部材と平行に延びる第２の支持部材をさらに備え、前記機器ユニットは、前記第２の支持部材に固定可能であり、前記第１および第２の支持部材間に配置される、請求項２９に記載の建物内部の床スペースを細分する自立形仕切りパネル。
【請求項３２】
前記第１の主外面の少なくとも一部を画定する第２のカバーパネルをさらに備える、請求項２５に記載の建物内部の床スペースを細分する自立形仕切りパネル。
【請求項３３】
前記支持部材と平行に延びる垂直方向に再配置可能な第２の支持部材をさらに備え、
前記支持部材は、前記第１の主外面を複数の垂直方向の区画に細分し、
前記垂直方向の区画はそれぞれ、前記共通の垂直方向寸法および前記共通の垂直方向寸法の倍数のうちの選択された１つとほぼ等しい垂直方向寸法を有する、請求項２５に記載の建物内部の床スペースを細分する自立形仕切りパネル。
【請求項３４】
前記第１の主外面の少なくとも一部を画定する第２のカバーパネルをさらに備える、請求項３３に記載の建物内部の床スペースを細分する自立形仕切りパネル。
【請求項３５】
前記第１の支持部材と平行に延びる再配置可能な第２の支持部材をさらに備え、前記機器は前記第２の支持部材に固定可能であり、前記第１および第２の支持部材間に配置され、前記第１および第２の支持部材は前記平行な縁の内側に配置され、
前記第１の主外面の一部を画定する第２のカバー部材をさらに備え、前記第１および第２のカバー部材は、前記第１および第２の支持部材にそれぞれ固定され、前記機器ユニットの両面に配置される、請求項２９に記載の建物内部の床スペースを細分する自立形仕切りパネル。
【請求項３６】
前記機器ユニットは、フラットスクリーンディスプレイのための関節式支持アームを備える、請求項２５に記載の建物内部の床スペースを細分する自立形仕切りパネル。
【請求項３７】
前記第２の主外面の一部を画定する第２の機器ユニットをさらに備え、
前記パネル内部は、中心平面により分割可能であり、前記中心平面と前記第１の主外面との間に位置付けられる第１の半分と、前記中心平面と前記第２の主外面との間に位置付けられる第２の半分とから成り、
前記機器はそれぞれ、前記パネル内部の前記第１および第２の半分のうちの一方のみの中に配置されるように構成され、それにより前記機器は互いに直接対向して配置可能である、請求項２５に記載の建物内部の床スペースを細分する自立形仕切りパネル。
【請求項３８】
建物内部の床スペースを細分する自立形仕切りパネルにおいて、
床面上に自立して支持されるようになっている仕切りフレームを画定する複数の相互接続される構造部材であって、前記仕切りパネルは、前記パネルの両面に位置して間にパネル内部を画定する第１および第２の主外面を有する、複数の相互接続される構造部材と、
前記仕切りパネルに搭載される配電モジュールであって、前記第１の主外面の少なくとも一部を画定し、前記パネル内部に配置される複数の電源コンセントを有し、前記パネルの外部の位置から前記コンセントがアクセス可能なアクセス開口を画定する、配電モジュールと、
前記パネルに搭載されて前記第１の主外面の一部を画定する電気機器であって、前記パネル内部に少なくとも一部が配置され、可撓性ケーブルが延びており、前記ケーブルは、前記パネル内部に完全に配置され、前記電源コンセントのうちの１つに作動可能に接続され、前記電気機器は、前記仕切りパネルに再配置可能に取り付け可能であり、前記パネルに再配置することができ、前記可撓性ケーブルは前記パネル内部に再配置することができる、電気機器と
を備える、建物内部の床スペースを細分する自立形仕切りパネル。
【請求項３９】
前記電源モジュールは、前記パネルの外部の位置からアクセス可能な複数の電気通信ポートをさらに備える、請求項３８に記載の建物内部の床スペースを細分する自立形仕切りパネル。
【請求項４０】
前記パネルに取り付けられる水平方向に配置される作業表面をさらに備え、それにより、電気デバイスが、前記作業表面上に配置されて、前記電源コンセントのうちの１つに作動可能に接続されることができる、請求項３８に記載の建物内部の床スペースを細分する自立形仕切りパネル。
【請求項４１】
前記電源モジュールは、再配置可能な閉鎖部材をさらに備え、
前記閉鎖部材は、前記アクセス開口をほぼ覆い、かつ前記アクセス開口を通して前記パネルの外部の位置から前記コンセントまでケーブルを配線することを可能にする閉位置を有する、請求項３８に記載の建物内部の床スペースを細分する自立形仕切りパネル。
【請求項４２】
前記電源モジュールは、前記パネルの外部の位置からアクセス可能な複数の電気通信ポートをさらに備える、請求項４１に記載の建物内部の床スペースを細分する自立形仕切りパネル。
【請求項４３】
第２の電気機器をさらに備え、
前記第２の電気機器は、前記第２の主外面の一部を画定し、
前記パネル内部は、中心平面により分割可能であり、前記中心平面と前記第１の主外面との間に位置付けられる第１の半分と、前記中心平面と前記第２の主外面との間に位置付けられる第２の半分とから成り、
前記機器はそれぞれ、前記パネル内部の前記第１および第２の半分のうちの一方のみの中に配置されるように構成され、それにより前記機器は互いに直接対向して配置可能である、請求項３８に記載の建物内部の床スペースを細分する自立形仕切りパネル。
【請求項４４】
建物内部の床スペースを細分する自立形仕切りパネルシステムにおいて、
ワークステーションを画定する複数の自立形の相互接続される仕切りパネルであって、前記仕切りパネルのうち第１の仕切りパネルは電源システムを含む、複数の自立形の相互接続される仕切りパネルであって、仕切りフレームを画定する複数の構造部材を備え、前記パネルはそれぞれ、前記パネルの両面に位置する第１および第２の主外面を有し、それぞれの間にパネル内部を画定する、前記仕切りパネルのそれぞれと、
前記主外面の第１の部分を画定する前記仕切りパネルに取り付けられる複数の取り外し可能なカバー部材と、
前記仕切りフレームの前記構造部材のうちの少なくとも２つに再配置可能に取り付けられる複数のモジュール式インサートであって、前記主外面の第２の部分を画定し、それぞれが電気機器ユニットを備え、前記電気機器は、前記パネル内部に少なくとも一部が位置し、前記モジュール式インサートはそれぞれ、複数の異なる垂直方向の位置および複数の異なる水平方向の位置で、前記パネルのうちの選択された１つに取り付け可能である、複数のモジュール式インサートと
を備える、建物内部の床スペースを細分する自立形仕切りパネルシステム。
【請求項４５】
前記モジュール式インサートのうち第１のモジュール式インサートは、前記パネル内部の第１のパネル内部に、前記電源システムに前記第１のモジュール式インサートの前記電気機器を作動可能に接続する可撓性ケーブルをさらに備える、請求項４４に記載の建物内部の床スペースを細分する自立形仕切りパネルシステム。
【請求項４６】
前記仕切りパネルのそれぞれの前記複数の構造部材は、直線状フレームを画定し、
前記仕切りフレームのうち第１の仕切りフレームは、前記第１の仕切りパネルの前記構造部材の１つと平行に延びる、再配置可能に取り付け可能な細長い第１の支持部材をさらに含み、
前記モジュール式インサートは前記支持部材に固定可能である、請求項４４に記載の建物内部の床スペースを細分する自立形仕切りパネルシステム。
【請求項４７】
前記モジュール式インサートのうちの少なくとも１つは、前記第１の支持部材および前記フレームの両方に直接固定され、前記支持部材と前記フレームとの間に配置される、請求項４６に記載の建物内部の床スペースを細分する自立形仕切りパネルシステム。
【請求項４８】
前記第１の支持部材と平行に延びる第２の支持部材をさらに備え、
前記モジュール式インサートのうちの少なくとも１つは、前記第１および第２の支持部材に固定され、
前記少なくとも１つのモジュール式インサートは、前記第１および第２の支持部材間に配置される、請求項４６に記載の建物内部の床スペースを細分する自立形仕切りパネルシステム。
【請求項４９】
前記第１および第２の支持部材は水平方向に延び、
前記カバー部材のうちの少なくとも１つは、前記第１および第２の支持部材間に、かつ前記少なくとも１つのモジュール式インサートに水平方向に隣接して配置される、請求項４８に記載の建物内部の床スペースを細分する自立形仕切りパネルシステム。
【請求項５０】
前記パネル内部は、中心平面により分割可能であり、前記中心平面と前記第１の主外面との間に位置付けられる第１の半分と、前記中心平面と前記第２の主外面との間に位置付けられる第２の半分とから成り、
前記モジュール式インサートはそれぞれ、前記パネル内部の前記第１および第２の半分のうちの一方のみの中に配置されるように構成され、それにより前記モジュール式インサートが前記パネルのうちの選択された１つに互いに直接対向して配置可能である、請求項４４に記載の建物内部の床スペースを細分する自立形仕切りパネルシステム。
【請求項５１】
建物内部の床スペースを細分する、再配置可能な自立形仕切りパネルのシステムにおいて、
複数の相互接続される仕切りパネルであって、それぞれが、複数の相互接続される荷重支持部材を含み、かつ前記パネルの両面に位置する第１および第２の主外面を有し、前記第１および第２の主外面は、前記パネルそれぞれの間にパネル内部を画定し、可動カバー部材が前記第１の主外面それぞれの少なくとも一部を画定する、複数の相互接続される仕切りパネルと、
前記荷重支持部材により画定される少なくとも１つの取り付け部であって、前記荷重支持部材は、複数の垂直方向の位置のうちの選択された１つと、複数の横方向の位置のうちの選択された１つとに前記取り付け部を画定するように構成可能である、少なくとも１つの取り付け部と、
複数のモジュール式電気機器ユニットであって、それぞれが、前記機器ユニットのうちの選択された１つが選択された垂直方向および横方向の位置で前記仕切りパネルに取り付けられる前記取り付け部と支持係合可能である取り付けインタフェースを有し、前記選択された機器ユニットは、前記選択された垂直方向および横方向の位置に搭載されると、前記第１の主外面の一部を画定し、可撓性ケーブルが、前記パネル内部に配設されて前記選択された機器ユニットを電源に作動可能に接続する、複数のモジュール式電気機器ユニットと
を備える、建物内部の床スペースを細分する、再配置可能な自立形仕切りパネルのシステム。
【請求項５２】
前記パネル内部は、中心平面により分割可能であり、前記中心平面と前記第１の主外面との間に位置付けられる第１の半分と、前記中心平面と前記第２の主外面との間に位置付けられる第２の半分とから成り、
前記モジュール式電気機器ユニットはそれぞれ、前記パネル内部の前記第１および第２の半分のうちの一方のみの中に配置されるように構成され、それにより前記機器ユニットが前記パネルのうちの選択された１つに互いに直接対向して配置可能である、請求項５１に記載の建物内部の床スペースを細分する、再配置可能な自立形仕切りパネルのシステム。
【請求項５３】
建物内部の床スペースを細分する自立形仕切りパネルにおいて、
前記仕切りパネルのフレームを画定する複数の相互接続される構造部材であって、前記仕切りパネルは、前記パネルの両面に位置して間にパネル内部を画定する第１および第２の主外面を有する、複数の相互接続される構造部材と、
前記フレームに取り付けられる再配置可能な第１の支持部材であって、第１の方向に離間した複数の支持部材位置で前記フレームに取り付け可能であり、前記複数の支持部材位置に取り付けられると、実質的に前記第１および第２の主外面間に位置する、第１の支持部材と、
前記第１の支持部材に着脱可能に固定され、前記第１の方向に延びるカバーパネル支持ブラケットと、
前記仕切りパネルに搭載されて前記第１の支持部材に固定され、前記第１の主外面の一部を画定する機器ユニットと、
前記仕切りパネルに搭載されて前記カバーパネル支持ブラケットに固定される少なくとも１つのカバー部材であって、前記第１の主外面の少なくとも一部を画定し、前記機器に隣接して配置され、前記カバーパネル支持ブラケットの一部を覆い、前記カバー部材および前記機器ユニットは、間に共通の縁を画定し、前記共通の縁は前記第１の方向に延び、前記共通の縁の少なくとも一端は、前記構造部材の内側の前記第１の主外面に位置付けられる点で終わり、前記カバーパネル支持ブラケットは、前記共通の縁のほぼ全長に沿って延びる、少なくとも１つのカバー部材と
を備える、建物内部の床スペースを細分する自立形仕切りパネル。
【請求項５４】
前記複数の相互接続される構造部材は直線状フレームを画定し、
前記第１の支持部材は、前記構造部材のうち第１の構造部材と平行に前記フレームにわたって延び、
前記カバーパネル支持ブラケットは、前記第１の支持部材から前記第１の構造部材まで延びる、請求項５３に記載の建物内部の床スペースを細分する自立形仕切りパネル。
【請求項５５】
前記カバーパネル支持ブラケットは、前記カバー部材を取り付ける搭載機構を含む、請求項５４に記載の建物内部の床スペースを細分する自立形仕切りパネル。
【請求項５６】
前記搭載機構は開口を備え、前記カバー部材は前記開口と係合可能なばねクリップを含む、請求項５５に記載の建物内部の床スペースを細分する自立形仕切りパネル。
【請求項５７】
前記複数の相互接続される構造部材は直線状フレームを画定し、
前記第１の支持部材は、前記構造部材のうち第１の構造部材と平行に前記フレームにわたって延び、
前記仕切りパネルは、前記第１の構造部材と平行の前記フレームにわたって延びる第２の再配置可能な支持部材をさらに備え、
前記カバーパネル支持ブラケットは、前記第１の支持部材から前記第２の支持部材まで延びる、請求項５３に記載の建物内部の床スペースを細分する自立形仕切りパネル。
【請求項５８】
前記第１および第２の支持部材は、垂直方向に延び、かつ水平方向に再配置可能であり、
前記カバーパネル支持ブラケットは、前記支持部材間に水平方向に延びる、請求項５７に記載の建物内部の床スペースを細分する自立形仕切りパネル。
【請求項５９】
前記第１および第２の支持部材は、垂直方向に延び、かつ垂直方向に再配置可能であり、
前記カバーパネル支持ブラケットは、前記支持部材間に垂直方向に延びる、請求項５７に記載の建物内部の床スペースを細分する自立形仕切りパネル。
【請求項６０】
前記カバーパネル支持ブラケットは、前記カバー部材を取り付ける搭載機構を含む、請求項５９に記載の建物内部の床スペースを細分する自立形仕切りパネル。
【請求項６１】
前記搭載機構は開口を備え、前記カバー部材は前記開口と係合可能なばねクリップを含む、請求項６０に記載の建物内部の床スペースを細分する自立形仕切りパネル。
【請求項６２】
前記カバーパネル支持ブラケットは、前記第１および第２の支持部材上の水平方向に離間した位置に再配置可能である、請求項５９に記載の建物内部の床スペースを細分する自立形仕切りパネル。
【請求項６３】
第２の機器ユニットをさらに備え、
前記第２の機器ユニットは、前記第２の主外面の一部を画定し、
前記パネル内部は、中心平面により分割可能であり、前記中心平面と前記第１の主外面との間に位置付けられる第１の半分と、前記中心平面と前記第２の主外面との間に位置付けられる第２の半分とから成り、
前記機器ユニットはそれぞれ、前記パネル内部の前記第１および第２の半分のうちの一方のみの中に配置されるように構成され、それにより前記機器ユニットは互いに直接対向して配置可能である、請求項５３に記載の建物内部の床スペースを細分する自立形仕切りパネル。
【請求項６４】
支持構造を形成する仕切りを含み、
前記第１および第２の支持アームは前記仕切りに支持される、請求項２３に記載の壁または仕切りの表面等の支持構造にフラットディスプレイスクリーンを搭載する装置。
【発明の詳細な説明】
【技術分野】
【０００１】
［発明の背景］
本発明は、オープンプランオフィス（open office plans）等に関する。
【０００２】
建物フロアスペースの効率的な使用は、特に建設コストが上昇し続ける限り、永久に増大していく問題である。オフィス全体のコストを低減するために、オープンプランオフィスが開発されており、こういったプランは、一般に、建物内に、モジュール式(modular)家具システムを備えた大きなオープンフロアスペースを組み込んでおり、こういったモジュール式の家具システムは、容易に再構成して特定のユーザの永久に変化していくニーズに対応することができるとともに、異なるテナントの異なる要求にも対応することができる。家具オープンプラン用に通例用いる構成の１つは、取り外し可能に相互接続されてオープンスペースを個々のワークステーションおよび／またはオフィスに仕切る、可動の仕切りパネルを含む。このような仕切りパネルは、作業表面(worksurfaces)、オーバーヘッドキャビネット、棚等の壁掛け式(hang-on)家具ユニットを受けるように構成されており、オフィス家具産業において「システム家具」として一般的に知られている。オープンプランを分割するおよび／または仕切る他の構成は、モジュール式家具の構成を含み、複数の異なる形状の自立形家具ユニットが、並んだ関係で配置され、直立したプライバシースクリーンを家具ユニットの少なくとも一部に取り付けて、個々の異なるワークステーションおよび／またはオフィスを作り出す。こういったタイプのモジュール式家具システムの両方、および他のものは、永久的な賃貸借物件の改良の一部ではないので、主として容易に再構成および／または新しい場所に移動することができるために、広く受け入れられてきている。
【０００３】
現在、いくつかのタイプの家具システムは、壁掛け式家具ユニットを支持するために垂直方向のスロット列を利用している。また、収納ユニット、作業表面等の壁掛け式家具ユニットを支持するために水平方向のスロット列を利用するシステムが開発されている。既存の家具システムには、一般に、仕切りフレームに取り付けられてフレームを閉じ、就業者に視覚的および聴覚的プライバシーを与えるカバーパネルが含まれる。しかしながら、既存の家具システムは、壁掛け式家具ユニットの場所を容易に調節することができるようにするのに十分な柔軟性を提供することができない。さらに、既存のシステムのカバーパネルの位置決めが問題となる場合がある。
【０００４】
かかる家具システムのユーザにシステムのユーザ用の電源および／またはデータ接続を提供するために、多大な努力がなされてきた。既存のシステムは通常、電話機、コンピュータモニタ、プリンタ等の種々のアクセサリを支持するために利用される作業表面を含む。概して、作業表面は、このような機器を支持するために比較的大きくなければならず、それにより、所与のユーザの作業空間の全体サイズすなわち「占有面積（footprint）」が非常に大きくなる。占有面積が比較的大きいことによって、より広い床スペースが必要となり、ユーザ１人あたりの費用が高くなる。
【０００５】
［発明の概要］
本発明の一態様は、床スペースを分割する自立形仕切りパネル(freestanding partition panel)である。仕切りパネルは、水平方向に離間した垂直側部フレーム部材と、垂直側部フレーム部材間に延びてフレーム内にほぼ四辺形に垂直方向に拡大した開口を形成し、パネル内にオープンスペースを画定する垂直方向に離間した第１および第２の水平フレーム部材とを有する、剛性のある仕切りフレームを含む。仕切りパネルは、少なくとも１つの中間水平横部材であって、垂直方向に拡大した開口を横切って延び、中間水平横部材の上方でフレーム内に上部開口を画定し、かつ中間水平横部材の下方でフレーム内に下部開口を画定する、中間水平横部材を含む。中間水平横部材と第１および第２の水平フレーム部材のうちの少なくとも選択された一方とは、オープンスペース内のフレーム内の上部開口および下部開口のうちの選択された一方に複数の個別の直列に隣接した搭載空間を画定する、複数の水平方向に離間した取り付け部（attachment location）を含む。仕切りパネルはさらに、中間水平横部材と第１および第２の水平部材のうちの選択された一方との取り付け部のうちの選択されたものに接続可能であり、搭載空間のうちの選択された１つに搭載することができる、ユーティリティユニットを含む。ユーティリティユニットは垂直側部フレーム部材のうちの選択された１つから離間した側縁を有する。仕切りパネルはさらに、仕切りフレームに固定されて、ユーティリティユニットの側縁と選択された垂直側部フレーム部材との間に水平方向に延びる第１のカバーパネルを含む。第１のカバーパネルは、中間水平横部材に接続され、中間水平横部材と第１および第２の部材のうちの選択された一方との間に垂直方向に延びる。第２のカバーパネルは、仕切りフレームに固定され、垂直側部フレーム部材間に水平方向に延びる。第２のカバーパネルは、中間水平横部材と第１および第２の部材のうちの選択された一方ではない方との間に垂直方向に延びる。
【０００６】
本発明の別の態様は、床スペースを分割する自立形仕切りパネルである。仕切りパネルは、第１および第２の水平方向に離間した垂直側部フレーム部材と、垂直側部フレーム部材間に延びてパネル内にオープンスペースを画定する、細長い(elongated)垂直方向に離間した第１および第２の水平部材とを有する剛性のある仕切りフレームを含む。第１および第２の水平部材は、オープンスペース内に複数の個別の直列に隣接した搭載空間を画定する、複数の水平方向に離間した取り付け部を含む。ユーティリティユニットが、第１および第２の水平部材の取り付け部のうちの選択されたものに接続可能であり、第１および第２の水平部材間に垂直方向に延びる。ユーティリティユニットは、第１の垂直側部フレーム部材から水平方向に離間してその間にギャップを画定する、ほぼ垂直な側縁を画定する。カバーパネルが仕切りフレームに固定され、ユーティリティユニットの垂直側縁に近接した第１の垂直側縁と、第１の垂直側部フレーム部材に近接した第２の垂直側縁とを有する。カバーパネルは、第１および第２の水平部材に固定され、それらの間に延びてギャップをほぼ塞ぐ。
【０００７】
本発明のさらに別の態様は、仕切りパネルを構成する方法である。本方法は、水平方向に離間した垂直側面と、垂直側面間の内部空間とを画定する自立形仕切りフレームを設けることを含む。仕切りフレームは、水平方向に離間してフレーム幅を画定する第１および第２のほぼ垂直な側縁を有する。仕切りフレームは、垂直側縁とともにほぼ四辺形の外周を画定するほぼ水平の上縁および下縁を有する。本方法は、内部空間の少なくとも一部を、水平の列を画定する複数の直列に隣接した搭載空間に分割することを含む。搭載空間はそれぞれ、ほぼ同じサイズおよび構成を有する。選択された水平方向の位置で搭載空間のうちの選択された１つに搭載されるようにそれぞれが構成された、複数のユーティリティユニットが設けられる。ユーティリティユニットは、外側を向いた外側面と、高さを画定するほぼ垂直な側縁ならびにほぼ水平な上部側縁および下部側縁とを有する。ユーティリティユニットは、ユーティリティユニットの垂直側縁が仕切りフレームの第１の垂直側縁から内側に離間してフレーム幅よりも実質的に短い幅を画定する第１のギャップを形成する状態で、選択された水平方向の位置で仕切りフレームの搭載空間のうちの選択された１つに固定される。ユーティリティユニットの上部側縁は、仕切りフレームの上縁から下方に離間して、フレーム幅とほぼ同じ幅を有する上部ギャップを形成する。ユーティリティユニットの下部側縁は、仕切りフレームの下縁から上方に離間して、フレーム幅とほぼ同じ幅を有する下部ギャップを形成する。第１のギャップとほぼ等しい幅を有する第１のカバーパネルが設けられる。第１のカバーパネルは、ユーティリティユニットの高さとほぼ同じ高さを有する。第１のカバーパネルは、仕切りフレームに装着されて、第１のギャップをほぼ塞ぐ。上部カバーパネルが仕切りフレームに装着されて、上部ギャップをほぼ塞ぎ、下部カバーパネルが仕切りフレームに固定されて、下部ギャップをほぼ塞ぐ。
【０００８】
本発明のさらに別の態様は、仕切りに搭載するためのフラットディスプレイスクリーンである。この構成は、画像を提供するようになっているフラットディスプレイスクリーンを含む。第１および第２の支持アームがそれぞれ、枢転可能に相互接続された第１および第２のリンクを有する。第１のリンクはそれぞれ、仕切りに枢転可能に搭載されてほぼ垂直な軸を中心に枢転するようになっている端部を有する。第２のリンクはそれぞれ、ディスプレイスクリーンに枢転可能に接続された端部を有し、第１および第２の支持アームは、収納位置と使用位置との間で水平方向に移動するようにディスプレイスクリーンを支持する。
【０００９】
本発明のこれらおよび他の特徴、利点、および目的は、明細書の以下の説明、添付の特許請求の範囲、および添付図面を参照することにより当業者にはさらに理解されるであろう。
【００１０】
［好適な実施形態の詳細な説明］
本明細書中の説明のために、用語「上部」「下部」「右側」「左側」「後部」「前部」「垂直」「水平」およびそれらの派生語は、図１の向きでの本発明に関するものとする。しかしながら、本発明は、別段の明示がない限り、種々の代替の向きおよびステップ順序をとることができることを理解すべきである。また、添付図面に示され明細書中以下で説明される特定のデバイスおよびプロセスは、添付の特許請求の範囲に定義される本発明の概念の例示的な実施形態にすぎないことも理解すべきである。したがって、本明細書に開示される実施形態に関する特定の寸法および他の物理的特徴は、特許請求の範囲が特に明記しない限り限定としてみなされるべきではない。
【００１１】
参照符号１（図１）は、複数の仕切りパネル２を含む仕切りシステム１を示す。仕切りパネル２はそれぞれ仕切りフレーム３を含み、仕切りフレーム３はそれぞれ、１つまたは複数の中間梁４および１つまたは複数のカバーパネル６を含むことができる。フラットスクリーンモニタ７、パワーモジュール８、または収納モジュール９等の１つまたは複数のモジュール式機器ユニットを、選択された水平方向の位置で中間梁４および／または水平フレーム部材１３、１４に搭載することができる。全幅の「分割（segmented）」カバーパネル６に加えて１つまたは複数のより短い幅のカバーパネル１０を利用して、カバーパネル１０がなければモジュール式アクセサリユニット７、８、および９に隣接して存在するギャップを塞いでもよい。カバーパネル１０は、モジュール式アクセサリユニットと同じ高さと、モジュール式アクセサリユニットの垂直側縁と隣接する垂直フレーム部材１２との間のギャップを塞ぐのに必要な幅とを有する。特定の用途に必要な場合、小さいカバーパネル１０が必要とならないように、複数のモジュール式アクセサリユニットをフレーム３の幅全体にわたって並べてフレームに搭載してもよい。モジュール式アクセサリユニット７、８、および９は同じ高さに配置されるように図示されているが、以下でより詳細に説明するように、アクセサリユニットは、ユーザが要求する種々の異なる高さに配置することができる。
【００１２】
フラットスクリーンモジュール式アクセサリユニット７、電源およびデータモジュール式アクセサリユニット８、および収納モジュール式アクセサリユニット９に加えて、さらなるモジュール式アクセサリユニットを利用して、作業環境を向上させるための広範の様々な特徴を提供してもよい。本発明による種々のモジュール式アクセサリユニットを、図１Ａ〜図１ＡＥに示す。モジュール式アクセサリユニットは、隣接する作業領域にわたるデータの流れ等を円滑にする種々のハイテク(high tech)デバイスを備えていてもよい。他の電子モジュール式アクセサリユニットを利用して、作業領域内の温度、騒音、または他の環境条件を制御し、それによりユーザの快適性および生産能力を最適にすることができる。少人数空間に適した「ポリコム」(Polycom)式音声会議システム１Ａを備えるモジュール式機器ユニットを図１Ａに示し、電話機周囲の騒音を低減する一体型のプラントロニクス(Plantronics)式ワイヤレスヘッドセット１Ａを図１Ｂに示す。グラフィック、ビデオ、およびオーディオデータの通信用の小型タッチスクリーン機器１Ｃを図１Ｃに示し、個人印刷用の一体型の垂直向きプリンタ１Ｄを備えるモジュール式アクセサリユニット１Ｄ図１Ｄに示す。プリンタ用のデータ線をコンピュータまでパネル内に配線することができる。プリンタにより、文書を都合よく個人的に印刷することができる。
【００１３】
作業領域内の騒音を制御するためのモジュール式機器ユニットとしては、図１Ｅに示すような、環境雑音レベルを増加させることにより騒音（distraction）の知覚を低減させるホワイトノイズ発生器１Ｅが挙げられる。制御部２Ｆを有する壁搭載式スピーカ１Ｆを図１Ｆに示す。モジュール式機器ユニットの搭載の配置を水平方向および垂直方向に選択可能であることにより、作業空間におけるスピーカ１Ｆを最適に配置することができる。
【００１４】
種々のネットワークハブを利用して、ネットワーク上のデバイスに共通の接続点を設けてもよい。ハブは、分散フィードバック（distributed feedback）を共有して情報を提供する。これらの機器ユニットは、作業空間を散らかすことなく最適な垂直方向および水平方向の位置に選択的に搭載することができる。統合ＯＥＭブルートゥース(Bluetooth)８０２．１１または他の無線ネットワーキングハブ１Ｇを備えるモジュール式アクセサリユニットを図１Ｇに示す。このハブの分布は、カバー範囲および使用するデバイスの数に基づく。ブルートゥースユニットは、アンテナを適切に配置するために、仕切りの上縁に隣接して搭載することができる。赤外線ネットワークハブを図１Ｈに示す。ＩＲハブは、周辺機器に視線アクセス(line-of-sight)できるように中央の位置に搭載してもよい。統合ケーブル管理を行うＵＳＢハブ１Ｉを図１Ｉに示す。電話、プライバシー、ボイスメール等のためのステータスインジケータ１Ｊを図１Ｊに示す。ステータスインジケータは、仕切りパネルの上縁に配置され、光等でその領域の他者に電話使用状況を示す。図１Ｋは受動型赤外線動き検出器を示し、これは、アラームシステム、照明制御部、ならびに占有者ステータスおよび場所情報に作動可能に接続することができる。最適な作業環境を提供するために局部ヒータおよびファンを制御する温度計およびサーモスタットを図１Ｌに示す。ディスプレイを有する分布型温度センサを備えたモジュール式アクセサリユニットを図１Ｍに示す。分布型温度センサは、オフィス領域内のＨＶＡＣシステムの制御を行う。頭上照明用の赤外線制御／ライトスイッチを図１Ｎに示す。ＩＲ制御部とともに用いられる照明システムは、ＩＲ受信機を具備しており、ＩＲビームの形状を変更することにより頭上照明システムの暗黙のゾーン制御（implicit zonal control）を達成することができる。さらに、タスクライトおよび周辺光の両方を提供する傾斜式（tip-out）照明器具を図１Ｏに示す。傾斜式照明器具は、作業表面を散らかすことなく(without cluttering)作業平面に最適な照明条件を提供する低電圧ハロゲンユニットであってもよい。図１Ｐを参照すると、一体型温度計を有する小型スペースヒータ１Ｐを用いて、作業領域内を一定温度に制御することができる。送風のためのルーバ(louver)、速度制御部、および任意選択の遠隔温度センサおよび／または制御部も、図１Ｐに示す。スペースヒータは、仕切りの両側に熱を供給する２方向ヒータであってもよい。モジュール搭載機構により、作業表面の直下または仕切りの下縁付近等、最適な場所にヒータを配置することができる。占有者に向けて空気流を供給するファンと、方向／流速を制御するルーバとを図１Ｑに示す。ファンは、低速の空気流を提供可能であることが好ましく、作業表面の上方に搭載してもよい。
【００１５】
本発明による他のモジュール式アクセサリユニットは、作業領域にユーティリティライン(utility line)を配線し、アクセスおよび管理することを容易にする。仕切りパネル内に配置された電源および／またはデータコンセントにアクセスするための半透明のチルト式（tilt-away）セクション２Ｒを有する、スラット壁（slatwall）支持表面１Ｒを図１Ｒに示す。スラット壁は、表面の後ろの空間を利用しやすくする。周辺機器ケーブル２Ｓ等をベルトウェイ（beltway）３Ｓ内で管理するためのケーブルトラフ１Ｓを図１Ｓに示し、枢転可能に搭載されたホワイトボードドア表面２Ｔを有する収納キャビネット１Ｔを図１Ｔに示す。収納キャビネットには、薬、鍵等の私物およびオフィス用品を都合よく個人で収納することができる。図１Ｖを参照すると、モジュール式アクセサリユニットは、陳列のための透明パネル２Ｕを有する収納ユニット１Ｕを備えることができる。種々の私物および装飾品を収納ユニットに入れて陳列し、作業領域を独自のものにすることができる。施錠可能なドア２Ｖおよび調整可能な棚３Ｖを有する安全収納キャビネット１Ｖを図１Ｖに示す。書類、雑誌等の収容部１Ｗを備えるモジュール式アクセサリユニットを図１Ｗに示し、「メールスロット」モジュール式アクセサリユニット１Ｘを図１Ｘに示す。保持部材２Ｘがその下部に枢転可能に搭載されて、同僚間の、または公共空間から個人空間への書類３Ｘの受け渡しを可能にする。
【００１６】
種々の他のタイプのモジュール式機器ユニットを利用して、特定の用途またはオフィス環境の必要に応じて、隣接する作業空間の間でのアクセスおよび／またはプライバシーの制御、監視、および／または制限を行ってもよい。例えば、パネルを通した視覚的および聴覚的アクセスを提供する小窓を図１Ｙに示す。図１Ｚを参照すると、小窓１Ｚにより、半透明というよりも透明であってよいＬＣＤガラスパネル２Ｚを用いることにより、パネルを通した視覚的アクセスを制御する。図１ＡＡをさらに参照すると、窓１ＡＡがパネルを通した視覚的および聴覚的アクセスを提供し、このアクセスは巻き込みドア（tambour door）２ＡＡにより制御される。図１ＡＢを参照すると、小窓１ＡＢがパネルを通した視覚的および聴覚的アクセスを提供し、このアクセスはミニブラインドシェード２ＡＢにより制御される。パネルを通した可視性を制限するドットパターンスクリーンを有する窓１ＡＣを図１ＡＣに示す。フルサイズの窓に取って代わるというよりむしろ、これらの窓は隣接する作業空間の間での控えめなやり取り（discreet communication）を可能にする。
【００１７】
上記のアクセスおよび／またはプライバシー制御構成に加えて、モジュール式アクセサリユニットは、必要な場合にはユーザの座席空間を提供するために利用可能であるが、不要な場合は空間を節約するために仕切り内に収納可能である種々の座席ユニット等を備えていてもよい。図１ＡＤを参照すると、折り畳み式シート１ＡＤを利用して一時的な訪問者に対応することができる。折り畳み式シートによりグループ作業が可能であり、個人で作業している時には余分な椅子を出しておく必要がない。一時的な訪問者がグループで座ることができるようにする折り畳み式シートを図１ＡＥに示す。このようなアクセサリユニットにより、机上または作業表面から仕切りパネルへの物体および作業の流れの移動が容易になる。このように、特定のユーザの必要に応じて、広範なモジュール式アクセサリユニットを設けることができる。
【００１８】
図２Ａを参照すると、各仕切りフレーム３は、一対の垂直側部フレーム部材１２と、垂直側部フレーム部材１２間に延びてそれらを固く相互接続してほぼ四辺形の外周を形成する上部水平フレーム部材１３および下部水平フレーム部材１４それぞれとを含む。垂直側部フレーム部材１２はカバーパネル６を搭載するための複数の開口１５〜１８を含み、水平フレーム部材１３および１４は複数の開口１９および２０を含む。開口１５〜２０は、カバーパネル６上のクリップ（図示せず）を受け入れ、それにより仕切りフレーム３にカバーパネル６が保持される。垂直側部フレーム部材１２は複数の開口２１（図５）を含み、開口２１は、電力線および／またはデータ線等のユーティリティラインを、垂直フレーム部材１２を介して隣接する仕切りフレーム３間に水平方向に送ることを可能にする。同様に、上部フレーム部材１３は開口２２（図３）を含み、下部フレーム部材１４は開口２３（図４）を含み、仕切りフレーム３の上縁および下縁それぞれにおいて電力線および／またはデータ線を垂直方向に通すことを可能にする。チャネル２４（図５）が上部水平フレーム部材１３に沿って延びて、仕切りフレーム３の上縁に沿ったユーティリティラインの水平方向の布設を可能にする。同様に、垂直側部フレーム部材１２は、垂直方向に延びるチャネル２５（図３）を含み、仕切りフレーム３の側縁に沿ったユーティリティラインの垂直方向の配線を可能にする。上部水平横部材１３は水平方向のスロット列２７（図２）を含み、下部水平横部材１４は水平方向のスロット列２８を含む。垂直フレーム部材１２は開口３９および４０を含み、開口３９および４０は、中間横部材２６の水平方向のスロット列と整列して、垂直フレーム部材１２に「デッドゾーン」(dead zone)を有さずに、一続きの水平方向のスロット列を提供する（図１０も参照）。垂直側部フレーム部材１２はそれぞれ、垂直方向のスロット列２９を含む。スロット列２７〜２９を用いて、作業表面、バインダホルダ（binder bin）等の壁掛け式家具ユニットを支持することができる。
【００１９】
中間梁４はそれぞれ、壁掛け式家具ユニットを支持する水平方向のスロット列２６を含む。中間梁４は、カバーパネル６を固定する開口１９および２０も含む。以下でより詳細に説明するように、開口１９および２０を利用して、小さいカバーパネル１０を、図１に示すフラットスクリーンディスプレイ７等のモジュール式アクセサリユニットに水平方向に隣接して仕切りフレーム２に固定することもできる。図６をさらに参照すると、水平横部材４、１３、および１４はそれぞれ、一定の間隔を空けた開口３１のセットを含む。図示の実施形態では、開口３１のセットはそれぞれ、水平フレーム部材４、１３、および１４のそれぞれに沿って１５２ｍｍ（６インチ）ごとに繰り返される。一定間隔の開口３１は、複数の別個の直列に隣接した搭載空間３２を画定する。開口３１は、ウェルナット(wellnut)または従来のセルフタッピンねじ等を受け入れて、モジュール式アクセサリユニットを仕切りフレーム３に固定する。搭載空間３２は、モジュール式機器ユニット７、８、および９を受け入れる。例えば、図１に示す電源およびデータモジュール８は、３０５ｍｍ（１２インチ）の幅を有して、搭載空間３２の２つ分を占める場合がある。あるいは、モジュール式機器ユニットは、６１０ｍｍ（２４インチ）の幅を有してもよく、この場合、機器ユニットは隣接する搭載空間３２の４つ分を占める。重要な点は、モジュール式機器ユニットを１つまたは複数の搭載空間３２に選択された水平方向の位置に搭載することができ、機器ユニットの水平方向の位置を特定のユーザおよび／または用途の必要性を満たすように選択することができるようにすることである。また、以下でより詳細に説明するように、１つの中間梁４をフレーム部材１３または１４に隣接して搭載してもよく、モジュール式機器ユニットを中間梁４およびフレーム部材１３または１４の開口３１に固定することにより、モジュール式機器ユニットをフレーム３の上縁または下縁に隣接して搭載することができる。
【００２０】
図７〜図９をさらに参照すると、各中間梁４は、水平方向のスロット列２６ならびに開口１９および２０を有する前面３３を含み、スロット列２６ならびに開口１９および２０は、図１に示すカバーパネル６および／または小さい補充(fill-in)カバーパネル１０および／または１１を搭載するクリップを受け入れる。上述のように、各中間梁４は、モジュール式機器ユニットを搭載するための複数の等間隔開口３１を含み、各中間梁４は、梁の両端に一対のフック３４も含む。図１０をさらに参照すると、垂直側部フレーム部材１２は開口３５を含み、開口３５は、中間梁４のフック３４を受け入れることにより中間梁４を垂直フレーム部材１２上に保持する。可撓性の安全キャッチ（safety catch）３６は、ばね鋼等でできており、中間梁４の３７で示す場所にスポット溶接または他の方法で取り付けられる。安全キャッチ３６はタブ３８を含む。装着の際、開口３５へのフック３４の挿入中に、タブ３８が垂直フレーム部材１２と接触し、矢印「Ａ」の方向へ外側に曲がる。中間梁４が下方に移動してフック３４と係合すると、タブ３８は開口３５に嵌まる。タブ３８は、開口３５からフック３４が上方に移動することおよび偶発的に外れることを防止する。中間梁４を取り外すには、可撓性の安全キャッチを手で曲げることで、タブ３８を開口３５から係脱させ、それにより開口３５からフック３４を係脱することができる。
【００２１】
図示の垂直フレーム部材１２はそれぞれ、垂直方向に等間隔で複数の開口３５を含み、１つまたは複数の中間梁４を仕切りフレーム３に選択された高さで配置することができる。図示の例では、一対の開口３５間の垂直方向の間隔は３１４ｍｍ（１２．３６０インチ）であり、中間梁４を垂直側部フレーム部材１２に３１４ｍｍ（１２．３６０インチ）の間隔で配置することができるようになっている。各垂直側部フレーム部材１２は、上部水平フレーム部材１３から３１４ｍｍ（１２．３６０インチ）離間した開口３５のセットと、下部水平横部材１４から３０５ｍｍ（１２インチ）離間した別のセットの開口３５とを含み、中間梁４を上部フレーム部材１３および／または下部フレーム部材１４から３１４ｍｍ（１２．３６０インチ）離間してフレーム３に搭載することができるようになっている。上部フレーム部材１３および下部フレーム部材１４は、モジュール式機器ユニットを搭載するための開口３１（図２Ａも参照）も含む。フレーム部材１３、１４、および中間梁４の４つの開口３１の各セットはそれぞれ、１５２ｍｍ（６インチ）の間隔で離間しており、機器ユニットを任意の選択された水平方向の位置に１５２ｍｍ（６インチ）ずつ増加させて配置することができるようになっている。特定の用途に必要である場合、フレーム３の上部および／または下部に沿って水平方向の搭載空間３２の列を設けてもよい。したがって、モジュール式機器ユニットの水平方向の場所は、選択された空間３２に機器ユニットを配置することにより変えることができる。また、中間梁４を選択された高さに垂直方向に配置することができ、モジュール式機器ユニットを選択された垂直方向および水平方向の位置で容易に搭載することができるようになっている。
【００２２】
図９Ｂは、垂直方向に調整可能な中間梁と、中間梁ならびに上部フレーム部材１３および下部フレーム部材１４の水平方向に離間した搭載開口３１とにより提供される、機器搭載空間およびカバーパネル構成の格子を概略的に示す。図９Ｂでは、垂直フレーム部材１２の搭載開口３５の各セットを３５Ａで示し、中間梁ならびにフレーム部材１３および１４の搭載開口３１の各セットを３１Ａで示す。図９Ｂの例では、中間梁を４Ａ、４Ｂ、および４Ｃで示す。上述のように、開口のセット３１Ａは水平方向に１５２ｍｍ（６インチ）の間隔で離間しており（Ｓ１で示す）、開口のセット３５Ａは垂直方向に３１４ｍｍ（１２．３６０インチ）ずつ増加して離間している（Ｓ２で示す）。中間梁は、開口のセット３５Ａのうちの選択されたものに取り付けることができ、それにより、垂直フレーム部材１２の開口の選択されたセット３５Ａに中間梁を接続することにより利用することができる複数の取り付け部１２５を提供する。取り付け部１２５は、複数の搭載空間３２Ａを画定する格子を形成する。図示の例の搭載空間３２Ａはそれぞれ、１５２ｍｍ（６インチ）の幅および３１４ｍｍ（１２．３６０）インチの高さを有する。上述のように、モジュール式アクセサリユニットは、１５２ｍｍ（６インチ）、３０５ｍｍ（１２インチ）、４５７ｍｍ（１８インチ）、６１０ｍｍ（２４インチ）、または１５２ｍｍ（６インチ）の任意の他の倍数の幅を有してもよい。図９Ｂの例では、全幅のカバーパネル６ＡはＳ２の高さを有し、フレーム３の幅全体にわたって延びる。３０５ｍｍ（１２インチ）の幅を有する搭載空間３２Ｂが、全幅のカバーパネル６Ａの直下のより短い幅のカバーパネル１１と１０Ａとの間に設けられる。６１０ｍｍ（２４インチ）の幅を有する第２の搭載空間３２Ｃが、カバーパネル１０Ｂと１１との間に設けられる。全幅のカバーパネル６Ｂは、フレーム３の下部を塞ぎ、Ｓ２の２倍の高さを有する。部分幅のカバーパネル１１、１０Ａ、および１０Ｂは、１５２ｍｍ（６インチ）、３０５ｍｍ（１２インチ）、または１５２ｍｍ（６インチ）の任意の倍数の幅を有して、搭載空間３２に搭載される機器ユニットの一側面または両側面に沿って１つまたは複数のギャップを塞ぐことができる。このように、Ｓ２の高さをそれぞれ有する、１５２ｍｍ（６インチ）幅、３０５ｍｍ（１２インチ）幅、４５７ｍｍ（１８インチ）幅、および１５２ｍｍ（６インチ）の倍数それぞれの幅の、組み立て式部分幅カバーパネルを設けることができる。同様に、Ｓ２の高さおよびＳ２の各倍数の高さを有する組み立て式全幅カバーパネル６を設けてもよい。したがって、特定の作業空間または他のそのような用途のためのモジュール式機器ユニットを、ユーザのニーズに合わせて選択することができる。モジュール式機器ユニットの水平方向および垂直方向の場所も選択することができ、必要な数の中間梁が、フレーム３の所望の垂直方向の場所（複数可）に装着される。次に、所望の数およびサイズのカバーパネルが選択されて、モジュール式機器ユニットに占められていない空間を塞ぐために装着される。
【００２３】
図１１を参照すると、電源および／またはデータモジュール８は上部フランジ４１および下部フランジ４２を含み、フランジはそれぞれ少なくとも２つの逃げ開口（clearance opening）４３を有する。中間梁４の開口３１は、フランジ４１および４２の逃げ開口４３を通って延びる従来のウェルナット（図示せず）、およびボルト等の従来のねじ式締結具（同じく図示せず）を受け入れて、それにより搭載空間３２に電源および／または機器モジュールを固定する。あるいは、セルフタッピンねじまたは他の従来の締結具を開口３１に受け入れさせて、モジュール式機器ユニットを仕切りフレームに固定してもよい。モジュール８のハウジング４４は、電源コンセント４８およびデータコンセントそれぞれを搭載するための開口４６および４７を有する前面４５を含む。前面４５への大きい開口５０により、電力線および／またはデータ線を仕切りフレームの内部空間から外部に通すことが可能になる。ベゼル(bezel)６７をハウジング４４および／または仕切りフレーム３に離脱可能に固定して、ハウジング４４を覆い、開口５０を塞ぐことができる。ベゼル６７は、電源コンセント４８およびデータコンセント４９にユーザがアクセスできるようにする開口６８を含む。一対のワイヤ管理部（wire manager）６９が開口６８の周りに延びる。ワイヤ管理部６９は、ベゼル６７の前面６７Ａから水平方向に離間しており、電力線８１等のユーティリティラインをワイヤ管理部６９とベゼル６７の前面６７Ａとの間に配線することができるようになっている。
【００２４】
モジュール式機器ユニットは、プログラマブルコンピュータ（図示せず）に接続されるディスプレイスクリーン５１（図１１）を備えることもできる。ディスプレイスクリーン５１は、ユーザが例えばミーティング等のために会議室を予約することができるタッチトーンスクリーンであってもよい。
【００２５】
左側カバーパネルブラケット５２および右側カバーパネルブラケット５３は、中間水平梁４に搭載され、中間梁４間に延びて、小さい補充カバーパネル１０および／または１１の搭載場所を提供する。ブラケット５２および５３はそれぞれ、従来のねじ式締結具（図示せず）を受け入れる複数の開口５４を含み、ねじ式締結具は中間梁４の開口３１に配置される従来のウェルナット（図示せず）に螺合可能に受け入れられる。図示のブラケット５２および５３はそれぞれ、フレーム部材１２の開口１５、１６、１７、および１８と同じ構成を有するカバーパネル搭載開口１５、１６、１７、および１８を含み、カバーパネル１０はカバーパネルブラケット５２および５３に搭載することができるようになっている。この構成により、カバーパネル１０が全幅の分割カバーパネル６と同じ搭載クリップおよび構成を有することができる。さらに、カバーパネル搭載ブラケット５２および５３は、モジュール式機器に直接隣接したカバーパネル１０の垂直側縁がフレーム３にしっかりと搭載されて、外側に曲がったり他の形で見苦しい外観を呈したりしないことを確実にする。左側カバーパネルブラケット５２および右側カバーパネルブラケット５３は、任意選択で切欠部５５を含んでもよく、切欠部５５は、カバーパネル１０とカバーパネルブラケット５２および／または５３の垂直側部部材５６との間にパネル内から外側に配線を通すことを可能にする。
【００２６】
図１２をさらに参照すると、モジュール式機器ユニットは収納ユニット９を備えてもよい。図示の例では、収納ユニット９は約６１０ｍｍ（２４インチ）の幅を有し、「靴箱」形状のハウジング５８を含み、ハウジング５８はそこから上方に延びるフランジ５７および下方に延びる下部フランジ５９を有する。フランジ５７、５９はそれぞれ、従来のねじ式締結具を受け入れる複数の締結具開口６１を含み、ねじ式締結具は中間水平梁４の開口３１に配置される従来のウェルナットに螺合可能に受け入れられる。あるいは、上述のように、セルフタッピンねじ等を利用してモジュール式機器ユニットをフレームに固定してもよい。収納ユニット９のハウジング５８は、１つまたは複数の垂直中央壁６２、垂直側壁６３、水平下部側壁６３Ａ、上部水平側壁６３Ｂ、および垂直後壁６３Ｃを含む。壁６２および６３はそれぞれ、トレー６５、ペーパーホルダ６６等を支持するために用いることができるスロット６４Ａを形成する複数の水平方向に延びるフランジ６４を含む。ペーパーホルダ６６は、複数の垂直ワイヤ６６Ａ、下方傾斜（downwardly angled）ワイヤ６６Ｂ、および水平ワイヤ６６Ｃを含み、これらワイヤは、複数の紙、ファイル等をほぼ直立した位置に保持するように構成される。壁６２、６３、およびスロット６４Ａは、コンパクトディスク（「ＣＤ」）宝石箱６４Ｂを摺動可能に支持するように構成されてもよい。右側カバーパネルブラケット５３および／または左側パネルブラケット５２は、収納ユニット９に直接隣接して搭載されて、カバーパネル１０の取り付け部を提供する。トレー６５は、上方に開口した浅い空隙６５Ｂを形成するほぼ垂直の側壁６５Ａを有することができる。蓋６０（図１２Ａも参照）をトレー６５上に取り外し可能に配置して、空隙６５Ｂを閉じてもよい。蓋６０は平坦であり、ユーザが指を入れて把持することができるように中心部に開口６０Ａを含む。小さいステップ６５Ｄが壁６５Ａの上縁６５Ｅの周囲に延びて、蓋６０の上面６０Ｂが上縁６５Ｅとほぼ同一平面上にあるように蓋６０を支持および配置させる。棚６５は、ハウジング５８の奥行きよりも長い全体前後寸法（overall front to rear dimension）を有してもよく、その場合、トレー６５の前方部分６５Ｃは、ハウジング５８の周縁５８Ａよりも外側に延びる。図１に示すように、収納ユニット９は任意選択で、開位置と閉位置との間で枢転してハウジング５８の少なくとも一部を選択的に閉じるドア８２を含んでもよい。
【００２７】
収納ユニット９は、ペンシルホルダ１３０、電話ホルダ１３１、およびハンギングファイルホルダ１３２を含んでもよい。ペンシルホルダ１３０は、スロット６４Ａにおいてペンシルホルダ１３０を支持する両側縁１３４を有する平坦な上部１３３を含む。電話ホルダ１３１は、垂直中央壁６２の両面のスロット６４Ａに係合する少なくとも一対の対向する縁を有するハウジング１３５を含む。ハンギングファイルホルダ１３２はワイヤで形成され、標準的なハンギングファイルフォルダ１３８を支持する水平ハンガー部１３７を含む。壁６２は、それぞれが後壁６３Ｃおよびスロット６４Ａに隣接して配置される複数の開口１３９を含んでいてもよい。装着の際、ハンギングファイルホルダ１３２の端部１４０は、内側に曲げられて開口１３９に挿入され、それによりファイルホルダ１３２を支持する。装着されると、ファイルホルダ１３２の垂直部分１４１は後壁６３Ｃに隣接して延び、垂直部分１４１の下部が後壁６３Ｃに接触して端部１４０を中心に回転するのを防ぐ。ホルダ１３２の水平部分１４２は、ファイルホルダ１３２を配置するように外側に延びる。ペーパーホルダ６６は、幾分類似した搭載の配置を含んでいるが、垂直ワイヤ６６Ａがハウジング５８の下縁に隣接して収納ユニット９に接触してホルダ６６の回転を防ぐ点が異なる。上述のように、種々のモジュール式機器ユニットを中間梁４に沿って種々の垂直方向の位置に搭載することができ、次に、標準サイズのカバーパネル１０を利用して、モジュール式機器ユニットと垂直側部フレーム部材１２との間に画定されるギャップが埋められる。
【００２８】
図１３Ａをさらに参照すると、電源および／またはデータモジュール式機器の第２の実施形態７０は、１つまたは複数の開口６１をそれぞれが含む複数のフランジ５７、５９を含んでもよく、開口６１は、従来のねじ式締結具を受け入れて、収納モジュール９０に関連して上述したのとほぼ同様の方法で電源およびデータモジュール７０を中間梁４に固定する。モジュール７０は、メインハウジング７１と垂直方向に延びる内側ハウジング７１Ａとを含み、内側ハウジング７１Ａは、ハウジング７１Ａの各側面に横向きの電源コンセント７３を支持する。一対の垂直側壁部分７４を利用して、モジュール７０の両面に沿って内側に向いたデータ差込口（outlets）７５を搭載してもよい。電力線７６が、底面に沿って延びる電源システム７６Ａ（図１）に接続される。同様に、データ線７７を、パネルシステムの上縁に沿って延びるデータ線７７Ａ（図１）に接続することができる。あるいは、パネルシステムへの供給用の電力線７６Ａおよびデータ線７７Ａは、垂直側部フレーム部材１２の開口２１（図５も参照）を通して内部に引き込んでもよい。メインハウジング７１は、水平上壁７１Ｂおよび水平下壁７１Ｃそれぞれと、垂直後壁７１Ｄとを含む。上壁７１Ｂおよび下壁７１Ｃは、細長い開口７２を含み、メインハウジング７１内から仕切りパネルの内部空間への電力線７６および／またはデータ線７７の垂直方向の配線を可能にする。メインハウジング７１の側面に沿って大きい開口７１Ｅを設けて、メイン内からの電力線７６および／またはデータ線７７の水平方向の配線を可能にすることもできる。電源およびデータモジュール７０と同じ幅を有する補充カバーパネル１０または１１を中間梁４および５に搭載して、モジュール７０を閉じることができ、一対の並んだ補充カバーパネル１０および／または１１が、中間梁４および５間の内部空間を塞ぐようにする。
【００２９】
図１４を参照すると、スキンブラケット（skin bracket）５３は、開口３１に挿入することができるフック７８を任意選択で含んでよい。この場合、ブラケット５３を矢印「Ｂ」の方向に移動させて、ブラケット５３の開口５４を中間梁４および／または５の開口３１と位置合わせさせる。次に、１つまたは複数の従来のねじ式締結具７９が開口５４および３１から挿入され、従来のウェルナット８０に螺合する。あるいは、従来のセルフタッピンねじ（図示せず）を開口３１に押し込んで、モジュール式機器ユニットを仕切りフレームに固定してもよい。
【００３０】
図１５をさらに参照すると、フラットスクリーンモニタ機器モジュール７は、中間梁４および５間に延びるハウジング８５を含む。ハウジング８５は、複数の逃げ孔(clearance hole)８８をそれぞれが有する上部フランジ８６および下部フランジ８７を含み、逃げ孔８８は、中間梁４および５の開口３１に配置されたウェルナット内に延びるねじ式締結具を受け入れる。フラットスクリーンモニタ９２は、第１および第２の支持アームアセンブリ９０および９１によりハウジング８５に固定される。第１のアームアセンブリ９０は、第１のリンク９３および第２のリンク９４を含む。同様に、第２のアームアセンブリ９１は第１のリンク９５および第２のリンク９６を含む。第１のリンク９３および９５は、ヒンジ９８および９９によりベースブラケット９７に枢転可能に接続される。第１のリンク９３は、ヒンジ１００により第２のリンク９４に枢転可能に接続される。同様に、第１のリンク９５は、ヒンジ１０１により第２のリンク９６に枢転可能に接続される。第２のリンク９４および９６の外端１０５および１０６はそれぞれ、リンク部材１０９に形成されたヒンジ１０３および１０４それぞれによりブラケット１０２に枢転可能に接続される。蝶ねじ１１１等がブラケット１０２のクレビス(clevis)１１４の開口１１３と、リンク部材１０９の開口１１２とを通って延び、水平軸を中心としたスクリーン９２の傾斜調整を可能にする。蝶ねじ１１１は、スクリーン９２を所望の角度で固定するように締め付けることができる。細長いスライド部材１１５は、対向する溝１１７を有するチャネル１１６を含む。組み立てられると、溝１１７はブラケット１０の縁１１８を受け入れ、スライド部材１１５の開口１１９はブラケット１０２の開口１２０と位置合わせされる。ねじ式締結具等が開口１１９および１２０を通って延び、ブラケット１０２とスライド部材１１５とを相互接続する。コネクタブラケット１２１が、スクリーン９２の高さ調整を行わせるようスライド部材１１５を摺動可能に受け入れるチャネル１２２を形成する。蝶ねじ１２３等がスクリーン９２を所望の高さに固定する。ブラケット１２１は、スクリーン９２をブラケット１２１に搭載するための開口１２５を含むフランジ１２４を含む。図１７をさらに参照すると、ケーブル管理ループ１２６がベゼル１１０に固定されている。電力線１２７等は、ループ１２６を通して配線されて、線がユーザの他の装置および／または活動を妨げないことを確実にする。第１および第２のアームアセンブリ９０および９１は、図１６に示す完全伸長位置と図１７に示す完全後退位置との間で水平方向に移動するように、フラットスクリーン９２を支持する。フレーム３および／またはブラケット５２、５３に搭載されるベゼル１０の面１０８に、凹部１０７が形成される。図１７の完全収納位置にある場合、アームアセンブリ９０および９１は凹部１０７内に受け入れられて、スクリーン９２が取り付けられている仕切りパネル２に直接隣接して配置されることを可能にする。
【００３１】
図１５のフラットスクリーンアセンブリ７は、ゴムまたは他のエラストマー材料からできた一対の摩擦ローラ１１５をヒンジ９８および９９に含んでもよい。図１８〜図２０をさらに参照すると、リンク９４および９６はそれぞれ、リンクと一体形成される六角形鋳造ボス１５１を含む。摩擦ローラ１５０は、ボス１５１よりもわずかに小さい全体サイズを有する六角形開口１５２が開いており、ローラ１５０が、装着時にきつい締まり嵌めでボス１５１に固定されるようになっている。図１９を参照すると、２つのローラ１５０の中心間の距離「Ｄ」は、ローラ１５０の直径よりもわずかに短く、ローラ１５０が２つのローラ１５０間の接触領域１５３で弾性変形するようになっている。隣接するローラ１５０間のこの締まり嵌めにより摩擦が生じ、フラットスクリーン９２の伸長および後退が制御され、かつフラットスクリーン９２が偶発的に移動しすぎなくなる。
【００３２】
上述の左側カバーパネルブラケット５２および右側カバーパネルブラケット５３の代わりに、カバーパネルブラケットの代替の実施形態１６０を左側構成および右側構成の両方に（すなわち、モジュール式機器ユニットの両側に）利用することができる。カバーパネルブラケット１６０は、前部ウェブ１６１と、一対の垂直方向に延びる側部ウェブ１６２と、上部ウェブ６３と、下部ウェブ１６４とを含み、これらは浅い「靴箱」形状を形成する。前部ウェブ１６１の搭載開口１６５〜１６８は、搭載クリップを受け入れて、機器ユニットに隣接してカバーパネル１０を保持する。側部ウェブ１６２は、１７２で示すように切り抜かれ、必要な場合は、そこを通して隣接する機器ユニットへの、または機器ユニットからのユーティリティライン１７５の配線を行うようにする。図２４〜図２６をさらに参照すると、図２２および図２３のブラケットカバーパネル搭載ブラケットの第２の実施形態１８０は、ブラケット１６０とほぼ同じであるが、ブラケット１８０はデータ線または電力線等のユーティリティライン１７５の布設を可能にするために、前部ウェブ１６１および側部ウェブ１６２に拡大した切欠部１８１を含む点が異なる。ユーティリティライン１７５が装着された後に、開口１８４に小さいストリップ１８２の端部１８３を入れることにより、切欠部１８１にストリップ１８２を装着することができる。ストリップ１８２は、機器ユニットとカバーパネルとの間のギャップにわたって延びることにより、カバーパネル１０の縁と隣接する機器ユニットとの間を視覚的に遮断する役割を果たす。上方に延びるタブ１８５も同様に、光遮断機能を果たす。
【００３３】
図２７および図２８をさらに参照すると、ブラケット１６０は、まず上方に延びるタブ１６９を最上部の梁４の下面１８７の開口１８６に挿入することにより、一対の隣接する梁４間に装着されることができる。次に、ブラケット１６０が図２８に示す位置に垂直方向に整列するまで、ブラケット１６０の下端１８８を矢印「Ａ」（図２７）の方向に内側に回転させる。次に、ブラケット１６０を矢印「Ｂ」の方向に下方に移動させて、下側の梁４の上側１９０の開口１８９にタブ１７０を係合させる。次に、複数のねじ式締結具１９１を、ブラケット１６０の下部ウェブ１６４の開口１７４（図２３）を介して最下部のブラケット４の上側１９０の対応する開口１９２に挿入する。ねじ式締結具１９１は、セルフタッピンねじ、ウェルナット、または他のそのような従来の締結具であってもよい。締結具１９１を装着する際、装着を行う者は、アクセス開口１７３および切欠部１７２を利用して、レンチ、ねじ回し等でアクセスしてもよい。締結具１９１により、ブラケット１６０ががたつくようなことなく梁４に固く固定されることが確実になる。ブラケット１８０は、ブラケット１６０に関して上述したのとほぼ同じ方法で装着される。
【００３４】
本発明のモジュール式機器ユニットは、種々のかかるユニットが仕切りパネル自体の中に搭載されることを可能にし、それにより、そうでなければかかるユニットに必要となるであろう作業表面空間が縮小される。中間梁４は種々の垂直方向の高さに配置することができ、モジュール式機器ユニットは、選択された垂直方向の位置で一対の中間梁４に固定することができる。あるいは、モジュール式機器ユニットは、上部フレーム部材１３および中間梁４に固定してもよく、またはモジュール式機器ユニットは、中間梁４および下部水平フレーム部材１４に固定してもよい。さらに、モジュール式機器ユニットは、選択された搭載空間３２に水平方向に配置することができる。したがって、本発明により、共通の搭載の配置を利用して、様々なモジュール式機器ユニットを仕切りパネル２内の事実上いかなる水平方向または垂直方向の位置にも配置することができる。共通の搭載の配置は、種々のタイプのモジュール式機器ユニットを必要に応じて交換／移動させることを可能にする。さらに、モジュール式機器ユニットは標準的な位置に搭載され、標準サイズを有するため、標準的な幅および高さを有する補充パネルを設けて、モジュール式機器ユニットと隣接する垂直フレーム部材との間のいかなるギャップも迅速に埋めることもできる。
【００３５】
上記の説明では、本明細書に開示される概念から逸脱することなく本発明に変更を加えることができることは、当業者には容易に理解されるであろう。以下の特許請求項においてその文言による別段の明示がない限り、かかる変更はかかる特許請求項に含まれるとみなされるものとする。
【図面の簡単な説明】
【００３６】
【図１】本発明のモジュール式機器搭載の配置を備えた仕切りパネルシステムの部分分解斜視図である。
【図１Ａ】本発明によるモジュール式機器ユニットの斜視図である。
【図１Ｂ】本発明によるモジュール式機器ユニットの斜視図である。
【図１Ｃ】本発明によるモジュール式機器ユニットの斜視図である。
【図１Ｄ】本発明によるモジュール式機器ユニットの斜視図である。
【図１Ｅ】本発明によるモジュール式機器ユニットの斜視図である。
【図１Ｆ】本発明によるモジュール式機器ユニットの斜視図である。
【図１Ｇ】本発明によるモジュール式機器ユニットの斜視図である。
【図１Ｈ】本発明によるモジュール式機器ユニットの斜視図である。
【図１Ｉ】本発明によるモジュール式機器ユニットの斜視図である。
【図１Ｊ】本発明によるモジュール式機器ユニットの斜視図である。
【図１Ｋ】本発明によるモジュール式機器ユニットの斜視図である。
【図１Ｌ】本発明によるモジュール式機器ユニットの斜視図である。
【図１Ｍ】本発明によるモジュール式機器ユニットの斜視図である。
【図１Ｎ】本発明によるモジュール式機器ユニットの斜視図である。
【図１Ｏ】本発明によるモジュール式機器ユニットの斜視図である。
【図１Ｐ】本発明によるモジュール式機器ユニットの斜視図である。
【図１Ｑ】本発明によるモジュール式機器ユニットの斜視図である。
【図１Ｒ】本発明によるモジュール式機器ユニットの斜視図である。
【図１Ｓ】本発明によるモジュール式機器ユニットの斜視図である。
【図１Ｔ】本発明によるモジュール式機器ユニットの斜視図である。
【図１Ｕ】本発明によるモジュール式機器ユニットの斜視図である。
【図１Ｖ】本発明によるモジュール式機器ユニットの斜視図である。
【図１Ｗ】本発明によるモジュール式機器ユニットの斜視図である。
【図１Ｘ】本発明によるモジュール式機器ユニットの斜視図である。
【図１Ｙ】本発明によるモジュール式機器ユニットの斜視図である。
【図１Ｚ】本発明によるモジュール式機器ユニットの斜視図である。
【図１ＡＡ】本発明によるモジュール式機器ユニットの斜視図である。
【図１ＡＢ】本発明によるモジュール式機器ユニットの斜視図である。
【図１ＡＣ】本発明によるモジュール式機器ユニットの斜視図である。
【図１ＡＤ】本発明によるモジュール式機器ユニットの斜視図である。
【図１ＡＥ】本発明によるモジュール式機器ユニットの斜視図である。
【図２】仕切りフレームの正面図である。
【図３】図２の仕切りフレームの平面図である。
【図４】図２の仕切りフレームの底面図である。
【図５】図２の仕切りフレームの右側立面図である。
【図６】図２の仕切りフレームの一部の拡大図である。
【図７】構造中間水平梁の部分平面図である。
【図８】図７の構造中間梁の正面図である。
【図９Ａ】図８のＩＸ−ＩＸ線に沿った断面図である。
【図９Ｂ】図２の仕切りフレームの概略図である。
【図１０】安全クリップを有する中間梁を示す分解部分図である。
【図１１】２つのモジュール式機器ユニットが搭載された仕切りフレームの部分図である。
【図１２】収納機構を有するモジュール式機器ユニットの部分斜視図である。
【図１２Ａ】図１２のＸＩＩＡ−ＸＩＩＡ線に沿ったトレーおよび蓋の断面図である。
【図１３Ａ】電源およびデータコンセント差込口、ならびにワイヤ管理機構を有するモジュール式機器ユニットの部分図である。
【図１３Ｂ】図１３Ａのモジュール式機器ユニットを閉じるために利用することができるカバーパネルの概略図である。
【図１４】ＸＩＶ−ＸＩＶ線に沿った図１３のカバーパネル搭載ブラケットの部分図である。
【図１５】フラットスクリーンディスプレイおよび関節式支持アームを有するモジュール式機器ユニットの部分斜視図である。
【図１６】完全伸長位置にある図１５の関節式支持アームの斜視図である。
【図１７】完全後退位置にある図１５の関節式支持アームの斜視図である。
【図１８】図１５のアームアセンブリの一部の部分分解斜視図である。
【図１９】図１８の摩擦ローラの概略上面図である。
【図２０】図１８の摩擦ローラを示す分解部分斜視図である。
【図２１】仕切りパネルの両面（opposite side）に搭載された一対のモジュール式機器ユニットを示す、仕切りパネルの概略端面図である。
【図２２】カバーパネル搭載ブラケットの第２の実施形態の斜視図である。
【図２３】カバーパネル搭載ブラケットの第２の実施形態の斜視図である。
【図２４】カバーパネル搭載ブラケットの別の代替の実施形態の分解斜視図である。
【図２５】図２４のカバーパネル搭載ブラケットの斜視図である。
【図２６】図２４のカバーパネル搭載ブラケットの背面からの分解斜視図である。
【図２７】一対の水平梁間のブラケットの装着を示す、図２２のブラケットの側面図である。
【図２８】一対の水平梁間のブラケットの装着を示す、図２２のブラケットの側面図である。
【図１】
2005517842.tif 000002
【図１Ａ】
2005517842.tif 000003
【図１Ｂ】
2005517842.tif 000004
【図１Ｃ】
2005517842.tif 000005
【図１Ｄ】
2005517842.tif 000006
【図１Ｅ】
2005517842.tif 000007
【図１Ｆ】
2005517842.tif 000008
【図１Ｇ】
2005517842.tif 000009
【図１Ｈ】
2005517842.tif 000010
【図１Ｉ】
2005517842.tif 000011
【図１Ｊ】
2005517842.tif 000012
【図１Ｋ】
2005517842.tif 000013
【図１Ｌ】
2005517842.tif 000014
【図１Ｍ】
2005517842.tif 000015
【図１Ｎ】
2005517842.tif 000016
【図１Ｏ】
2005517842.tif 000017
【図１Ｐ】
2005517842.tif 000018
【図１Ｑ】
2005517842.tif 000019
【図１Ｒ】
2005517842.tif 000020
【図１Ｓ】
2005517842.tif 000021
【図１Ｔ】
2005517842.tif 000022
【図１Ｕ】
2005517842.tif 000023
【図１Ｖ】
2005517842.tif 000024
【図１Ｗ】
2005517842.tif 000025
【図１Ｘ】
2005517842.tif 000026
【図１Ｙ】
2005517842.tif 000027
【図１Ｚ】
2005517842.tif 000028
【図１ＡＡ】
2005517842.tif 000029
【図１ＡＢ】
2005517842.tif 000030
【図１ＡＣ】
2005517842.tif 000031
【図１ＡＤ】
2005517842.tif 000032
【図１ＡＥ】
2005517842.tif 000033
【図２】
2005517842.tif 000034
【図３】
2005517842.tif 000035
【図４】
2005517842.tif 000036
【図５】
2005517842.tif 000037
【図６】
2005517842.tif 000038
【図７】
2005517842.tif 000039
【図８】
2005517842.tif 000040
【図９Ａ】
2005517842.tif 000041
【図９Ｂ】
2005517842.tif 000042
【図１０】
2005517842.tif 000043
【図１１】
2005517842.tif 000044
【図１２】
2005517842.tif 000045
【図１２Ａ】
2005517842.tif 000046
【図１３Ａ】
2005517842.tif 000047
【図１３Ｂ】
2005517842.tif 000048
【図１４】
2005517842.tif 000049
【図１５】
2005517842.tif 000050
【図１６】
2005517842.tif 000051
【図１７】
2005517842.tif 000052
【図１８】
2005517842.tif 000053
【図１９】
2005517842.tif 000054
【図２０】
2005517842.tif 000055
【図２１】
2005517842.tif 000056
【図２２】
2005517842.tif 000057
【図２３】
2005517842.tif 000058
【図２４】
2005517842.tif 000059
【図２５】
2005517842.tif 000060
【図２６】
2005517842.tif 000061
【図２７】
2005517842.tif 000062
【図２８】
2005517842.tif 000063
【国際調査報告】
2005517842.tif 000064